【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
自船の周囲の状況を表示する船舶用情報表示装置において、
レーダアンテナからの信号に基づいて自船の周囲の物標を情報画像として表示するアプリケーションである第１アプリケーションと、ＧＰＳ受信機からの位置情報に基づいて自船の周囲の海図を情報画像として表示するアプリケーションである第２アプリケーションと、を少なくとも実行可能な制御部と、
前記制御部に対して指示を行う操作が可能な操作部と、
選択中のアプリケーションの実行により作成される前記情報画像とともに、アプリケーションを選択するためのメニュー項目と、選択されたアプリケーションで用いられるメニュー項目と、を表示画面上に同時に表示する表示部を備え、
前記表示部は、
前記第１アプリケーション及び前記第２アプリケーションの実行時において、前記選択されたアプリケーションで用いられるメニュー項目を、前記表示画面の周縁の一部を構成する第１端辺に沿って表示するとともに、前記アプリケーションを選択するためのメニュー項目も、前記表示画面の前記第１端辺に沿って表示し、
前記第２アプリケーションの実行時において、前記表示画面全体に前記情報画像を表示し、前記アプリケーションを選択するためのメニュー項目と、前記選択されたアプリケーションで用いられるメニュー項目と、を自船の周囲の海図上に表示し、
前記表示画面上での、前記アプリケーションを選択するためのメニュー項目の表示位置と、前記選択されたアプリケーションで用いられるメニュー項目の表示位置と、が前記第１アプリケーションと前記第２アプリケーションとの間で略共通していることを特徴とする船舶用情報表示装置。
【請求項２】
請求項１に記載の船舶用情報表示装置であって、
前記表示部は、前記第１アプリケーション及び前記第２アプリケーションの実行時において、前記アプリケーションを選択するためのメニュー項目を、前記表示画面のコーナーに表示することを特徴とする船舶用情報表示装置。
【請求項３】
請求項１又は２記載の船舶用情報表示装置であって、
前記表示部は、前記第１アプリケーション及び前記第２アプリケーションの実行時において、前記情報画像と、前記アプリケーションを選択するためのメニュー項目と、前記選択されたアプリケーションで用いられるメニュー項目とともに、異なるアプリケーション間で共通して用いられるメニュー項目である共通メニュー項目を、前記表示画面の周縁の一部を構成し前記第１端辺とは異なる第２端辺に沿って同時に表示し、
前記第２アプリケーションの実行時において、前記共通メニュー項目、を自船の周囲の海図上に表示し、
前記表示画面上での前記共通メニュー項目の表示位置、が前記第１アプリケーションと前記第２アプリケーションとの間で略共通していることを特徴とする船舶用情報表示装置。
【請求項４】
自船の周囲の状況を表示する船舶用情報表示装置において、
レーダアンテナからの信号に基づいて自船の周囲の物標を情報画像として表示するアプリケーションである第１アプリケーションと、ＧＰＳ受信機からの位置情報に基づいて自船の周囲の海図を情報画像として表示するアプリケーションである第２アプリケーションと、を少なくとも実行可能な制御部と、
前記制御部に対して指示を行う操作が可能な操作部と、
選択中のアプリケーションの実行により作成される前記情報画像とともに、アプリケーションを選択するためのメニュー項目と、選択されたアプリケーションで用いられるメニュー項目と、異なるアプリケーション間で共通して用いられるメニュー項目である共通メニュー項目と、を表示画面上に同時に表示する表示部を備え、
前記表示部は、
前記第１アプリケーション及び前記第２アプリケーションの実行時において、前記選択されたアプリケーションで用いられるメニュー項目を、前記表示画面の周縁の一部を構成する第１端辺に沿って一列に並べて表示するとともに、前記共通メニュー項目を、前記表示画面の周縁の一部を構成し前記第１端辺とは異なる第２端辺に沿って一列に並べて表示し、
前記第２アプリケーションの実行時において、前記表示画面全体に前記情報画像を表示し、前記アプリケーションを選択するためのメニュー項目と、前記選択されたアプリケーションで用いられるメニュー項目と、前記共通メニュー項目と、を自船の周囲の海図上に表示し、
前記表示画面上での、前記アプリケーションを選択するためのメニュー項目の表示位置と、前記選択されたアプリケーションで用いられるメニュー項目の表示位置と、前記共通メニュー項目の表示位置と、が前記第１アプリケーションと前記第２アプリケーションとの間で略共通していることを特徴とする船舶用情報表示装置。
【請求項５】
請求項３又は４に記載の船舶用情報表示装置であって、
前記第１端辺と前記第２端辺とは、隣接する辺であることを特徴とする船舶用情報表示装置。
【請求項６】
請求項１から５のいずれかに記載の船舶用情報表示装置であって、
前記第１アプリケーションの実行により作成される前記情報画像は、円形の画像であり、前記第２アプリケーションの実行により作成される前記情報画像は、矩形の画像であり、
前記表示部は、前記第１アプリケーションの実行時において、前記表示画面内に前記円形の情報画像を表示するとともに、前記表示画面内において前記情報画像の外側に、前記アプリケーションを選択するためのメニュー項目と、前記選択されたアプリケーションで用いられるメニュー項目と、を表示することを特徴とする船舶用情報表示装置。
【請求項７】
請求項１から６のいずれかに記載の船舶用情報表示装置であって、
前記操作部は、トラックボールを含むことを特徴とする船舶用情報表示装置。
【請求項８】
請求項１から７のいずれかに記載の船舶用情報表示装置であって、
前記アプリケーションの選択方法、及び、前記選択されたアプリケーションで用いられるメニュー項目の選択方法が実行するアプリケーション間で略共通していることを特徴とする船舶用情報表示装置。
【請求項９】
請求項１から８のいずれかに記載の船舶用情報表示装置であって、
前記表示部は、前記情報画像及び前記メニュー項目とともに、自船の速度、位置、及び船首方位の少なくとも何れか一つの情報を含む航海データを前記表示画面上に同時に表示し、
前記表示画面上での前記航海データの表示位置が、前記第１アプリケーションと前記第２アプリケーションとの間で略共通することを特徴とする船舶用情報表示装置。
【請求項１０】
請求項９に記載の船舶用情報表示装置であって、
前記航海データは、アプリケーションによらず表示される航海データと、選択されたアプリケーションに応じた航海データと、からなり、
前記第１アプリケーションと前記第２アプリケーションとの間で、前記アプリケーションによらず表示される航海データ及び前記選択されたアプリケーションに応じた航海データの前記表示画面上での表示位置が略共通であることを特徴とする船舶用情報表示装置。
【請求項１１】
請求項１０に記載の船舶用情報表示装置であって、
アプリケーションが選択されて切り替わった場合、前記選択されたアプリケーションに応じた航海データが、当該選択されたアプリケーションに応じて変化することを特徴とする船舶用情報表示装置。
【請求項１２】
自船の周囲の状況を表示する船舶用情報表示プログラムであって、
レーダアンテナからの信号に基づいて自船の周囲の物標を情報画像として表示するアプリケーションである第１アプリケーションを実行するステップと、
ＧＰＳ受信機からの位置情報に基づいて自船の周囲の海図を情報画像として表示するアプリケーションである第２アプリケーションを実行するステップと、をコンピュータに実行させ、
前記第１アプリケーション及び前記第２アプリケーションを実行するステップでは、
選択中のアプリケーションの実行により作成される前記情報画像とともに、アプリケーションを選択するためのメニュー項目と、選択されたアプリケーションで用いられるメニュー項目と、が表示画面上に同時に表示され、
前記第１アプリケーション及び前記第２アプリケーションの実行時において、前記選択されたアプリケーションで用いられるメニュー項目が、前記表示画面の周縁の一部を構成する第１端辺に沿って表示されるとともに、前記アプリケーションを選択するためのメニュー項目も、前記表示画面の前記第１端辺に沿って表示され、
前記第２アプリケーションの実行時において、前記表示画面全体に前記情報画像が表示され、前記アプリケーションを選択するためのメニュー項目と、前記選択されたアプリケーションで用いられるメニュー項目と、が自船の周囲の海図上に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通していることを特徴とする船舶用情報表示プログラム。
【請求項１３】
自船の周囲の状況を表示する船舶用情報表示方法であって、
レーダアンテナからの信号に基づいて自船の周囲の物標を情報画像として表示するアプリケーションである第１アプリケーションを実行する工程と、
ＧＰＳ受信機からの位置情報に基づいて自船の周囲の海図を情報画像として表示するアプリケーションである第２アプリケーションを実行する工程と、を含み、
前記第１アプリケーション及び前記第２アプリケーションを実行する工程では、
選択中のアプリケーションの実行により作成される前記情報画像とともに、アプリケーションを選択するためのメニュー項目と、選択されたアプリケーションで用いられるメニュー項目と、が表示画面上に同時に表示され、
前記第１アプリケーション及び前記第２アプリケーションの実行時において、前記選択されたアプリケーションで用いられるメニュー項目が、前記表示画面の周縁の一部を構成する第１端辺に沿って表示されるとともに、前記アプリケーションを選択するためのメニュー項目も、前記表示画面の前記第１端辺に沿って表示され、
前記第２アプリケーションの実行時において、前記表示画面全体に前記情報画像が表示され、前記アプリケーションを選択するためのメニュー項目と、前記選択されたアプリケーションで用いられるメニュー項目と、が自船の周囲の海図上に表示され、
前記表示画面上での、前記アプリケーションを選択するためのメニュー項目の表示位置と、前記選択されたアプリケーションで用いられるメニュー項目の表示位置と、が前記第１アプリケーションの実行時と前記第２アプリケーションの実行時とで略共通していることを特徴とする船舶用情報表示方法。
【請求項１４】
自船の周囲の状況を表示する船舶用情報表示プログラムであって、
レーダアンテナからの信号に基づいて自船の周囲の物標を情報画像として表示するアプリケーションである第１アプリケーションを実行するステップと、
ＧＰＳ受信機からの位置情報に基づいて自船の周囲の海図を情報画像として表示するアプリケーションである第２アプリケーションを実行するステップと、をコンピュータに実行させ、
前記第１アプリケーション及び前記第２アプリケーションを実行するステップでは、
選択中のアプリケーションの実行により作成される前記情報画像とともに、アプリケーションを選択するためのメニュー項目と、選択されたアプリケーションで用いられるメニュー項目と、異なるアプリケーション間で共通して用いられるメニュー項目である共通メニュー項目と、が表示画面上に同時に表示され、
前記第１アプリケーション及び前記第２アプリケーションの実行時において、前記選択されたアプリケーションで用いられるメニュー項目が、前記表示画面の周縁の一部を構成する第１端辺に沿って一列に並べて表示されるとともに、前記共通メニュー項目が、前記表示画面の周縁の一部を構成し前記第１端辺とは異なる第２端辺に沿って一列に並べて表示され、
前記第２アプリケーションの実行時において、前記表示画面全体に前記情報画像を表示し、前記アプリケーションを選択するためのメニュー項目と、前記選択されたアプリケーションで用いられるメニュー項目と、前記共通メニュー項目と、が自船の周囲の海図上に表示され、
前記表示画面上での、前記アプリケーションを選択するためのメニュー項目の表示位置と、前記選択されたアプリケーションで用いられるメニュー項目の表示位置と、前記共通メニュー項目の表示位置と、が前記第１アプリケーションと前記第２アプリケーションとの間で略共通していることを特徴とする船舶用情報表示プログラム。
【請求項１５】
自船の周囲の状況を表示する船舶用情報表示方法であって、
レーダアンテナからの信号に基づいて自船の周囲の物標を情報画像として表示するアプリケーションである第１アプリケーションを実行する工程と、
ＧＰＳ受信機からの位置情報に基づいて自船の周囲の海図を情報画像として表示するアプリケーションである第２アプリケーションを実行する工程と、を含み、
前記第１アプリケーション及び前記第２アプリケーションを実行する工程では、
選択中のアプリケーションの実行により作成される前記情報画像とともに、アプリケーションを選択するためのメニュー項目と、選択されたアプリケーションで用いられるメニュー項目と、異なるアプリケーション間で共通して用いられるメニュー項目である共通メニュー項目と、が表示画面上に同時に表示され、
前記第１アプリケーション及び前記第２アプリケーションの実行時において、前記選択されたアプリケーションで用いられるメニュー項目が、前記表示画面の周縁の一部を構成する第１端辺に沿って一列に並べて表示されるとともに、前記共通メニュー項目が、前記表示画面の周縁の一部を構成し前記第１端辺とは異なる第２端辺に沿って一列に並べて表示され、
前記第２アプリケーションの実行時において、前記表示画面全体に前記情報画像を表示し、前記アプリケーションを選択するためのメニュー項目と、前記選択されたアプリケーションで用いられるメニュー項目と、前記共通メニュー項目と、が自船の周囲の海図上に表示され、
前記表示画面上での、前記アプリケーションを選択するためのメニュー項目の表示位置と、前記選択されたアプリケーションで用いられるメニュー項目の表示位置と、前記共通メニュー項目の表示位置と、が前記第１アプリケーションと前記第２アプリケーションとの間で略共通していることを特徴とする船舶用情報表示方法。